(57)【要約】【課題】  ユーザの情報端末におけるコンテンツ配信システムを介してより有効な情報交換を行う技術を提供する。【解決手段】  ユーザが、GPS機能付きの携帯情報機器で取得した静止画情報あるいは動画情報を、有限で数種類のテンプレートとコマ（動画を含む）を配置し、一つのコンテンツとして構成する場合に、ユーザが撮像した前記静止画情報や動画情報と、その時に撮影した時間情報と、前記GPSから取得した位置情報を用いることで、ユーザの作成意向に沿ったコンテンツを簡易に作成することができ、さらに、Ｗｅｂ側は受信者側の嗜好に沿ったＣＭを付加することが可能で、受信者側が効率良く、タイムリーにＣＭ付きの前記コンテンツを閲覧できるコンテンツ配信システム。【選択図】      図６
2009146066.tif 000002
【特許請求の範囲】
【請求項１】
ユーザが、GPS機能付きの携帯情報機器で取得した静止画情報あるいは動画情報を入力する為の入力手段１と、
ユーザが取得した時の位置情報を、前記携帯情報機器に付随した機能であるＧＰＳ機能により取得する入力手段２と、
ユーザが情報等を閲覧したり作業をする為の表示手段と、
ユーザが、前記入力手段１と入力手段２で入力した情報を素材にして、Ｗｅｂに配信する為のコンテンツを作成する為のコンテンツ作成手段と、
前記作成手段において、作成した情報履歴などをコンテンツのメタ情報にする為のメタ情報作成手段と、
前記作成されたコンテンツやメタ情報をＷｅｂ側に配信し、またＷｅｂサイトあるいは、ユーザ固有のホームネットワークに接続する為の通信手段とを備え、
本コンテンツ配信システムの受信機は、上記コンテンツを受信する際は、上記メタ情報または、受信機に付属しているＧＰＳ情報から取得する位置情報または、受信者の利用履歴情報から的確なＣＭ情報を前記コンテンツに付加することを特徴とするコンテンツ配信システム。
【請求項２】
Web側で適当なテンプレートDBを所有し、ユーザに選択させることにより、位置情報または時間情報からそのユーザのコンテンツ作成嗜好情報を蓄積し、この蓄積回数を重ねることにより適当なテンプレートを使用して、コンテンツを作成することを特徴とする請求項１記載のコンテンツ配信システム。
【請求項３】
ユーザがコンテンツを作成した履歴情報を持つことにより、ユーザの作成嗜好情報を判定することを特徴とする請求項１記載のコンテンツ配信システム。
【請求項４】
前記ユーザのコンテンツ作成嗜好情報を用いて、初回以降に作成する時に、前記嗜好情報を用いて、自動的にテンプレートやテンプレートに設定する静止画や動画を構成することを特徴とする請求項２記載のコンテンツ配信システム。
【請求項５】
前記履歴情報からユーザの嗜好情報を判定するものであることを特徴とする請求項３または請求項４記載のコンテンツ配信システム。
【請求項６】
前記表示手段は、インターネットに接続できる通信手段を備え、前記コマ構成内容または、ユーザが入力するコマンド情報からキーワードを検出し、前記通信手段でＷｅｂサイトからキーワード検索取得してきたＣＭ情報を表示することを特徴とする請求項１に記載のコンテンツ配信システム。
【請求項７】
前記表示手段は、インターネットに接続できる通信手段を備え、前記コンテキストデータまたは、ユーザが入力するコマンド情報からキーワードを検出し、前記通信手段でＷｅｂサイトからキーワード検索取得してきたＣＭ情報を、該当するテンプレートの近辺に表示することを特徴とする請求項６に記載のコンテンツ配信システム。
【請求項８】
前記表示手段は、前記ＣＭ情報を、コンテンツの壁紙に設定し、ユーザは、テンプレートを最初からアクションを起こして閲覧することにより、そのテンプレートは順に削除されていき、最後には、前記CMの壁紙だけが残るよう構成されていることを特徴とする請求項１または請求項６項記載のコンテンツ配信システム。
【請求項９】
動画のコンテキストデータを、シーンの切り替りを判定して、シーンの変わり目の代表コマ１画面を表示し、テンプレートに設定する設定手段を有することを特徴とする請求項１に記載のコンテンツ配信システム。
【発明の詳細な説明】
【技術分野】
【０００１】
本発明は、コンピュータ、デジタルAV装置、通信装置などにおいて撮影した静止画データや映像データを、ユーザが簡単にテンプレートを使って、一つのコンテンツとして生成するコンテンツ配信システム及びその手法に関する。
【背景技術】
【０００２】
近年、コンピュータやデジタルAV機器、通信装置などで静止画データや映像データの記録し、そのデータを加工・編集して、ユーザがコンテンツとして作成できるようになった。
【０００３】
また、メールや写真など個人が作成したデータをネットワークを介して、送受信する個人携帯機器が多様化しており、ネットワークが使えるポータブル機器（携帯電話を含む）が商品として定着している。
【０００４】
これに伴い、記録した静止画データや映像データの検索や内容確認を行うための技術が利用されているが、さらに、個人が所有している情報携帯機器において、静止画あるいは動画を、ユーザが自分の意思に沿ったテンプレートを作成して、一つのコンテンツにして他のユーザにネットワークを介して、コンテンツを提供としようとする傾向が高まっている。
【０００５】
例えば、特許文献１には概要として、ユーザが必要とする情報だけをユーザが望むタイミングと確実な露出度で配信すると共に、参加ユーザのミニホームページのスキン内でテンプレート選択が可能で、簡単な操作と費用負担なしにユーザのホームページを作成できるシステムなるものが記載されている。
【０００６】
しかしながらなお、有限で数種類のテンプレートとコマ（動画を含む）を配置して一つのコンテンツとして構成するといった簡単で、より有効な情報交換を行う技術は開示されていない。
【特許文献１】特開２００６−１９５８４３号公報（６頁、図１）
【発明の開示】
【発明が解決しようとする課題】
【０００７】
本発明は、ユーザの情報端末におけるコンテンツ配信システムを介してより有効な情報交換を行う技術を提供することを目的とする。
【課題を解決するための手段】
【０００８】
上記課題を解決するために、本発明のコンテンツ配信システムは、ユーザが、GPS機能付きの携帯情報機器で取得した静止画情報あるいは動画情報を入力する為の入力手段１と、ユーザが取得した時の位置情報を、前記携帯情報機器に付随した機能であるＧＰＳ機能により取得する入力手段２と、ユーザが情報等を閲覧したり作業をする為の表示手段と、ユーザが、前記入力手段１と入力手段２で入力した情報を素材にして、Ｗｅｂに配信する為のコンテンツを作成する為のコンテンツ作成手段と、前記作成手段において、作成した情報履歴などをコンテンツのメタ情報にする為のメタ情報作成手段と、前記作成されたコンテンツやメタ情報をＷｅｂ側に配信したり、Ｗｅｂサイトや、ユーザ固有のホームネットワークに接続する為の通信手段とを備え、本コンテンツ配信システムの受信機は、上記コンテンツを受信する際は、上記メタ情報や、受信機に付属しているＧＰＳ情報から取得する位置情報や、受信者の利用履歴情報から的確なＣＭ情報を前記コンテンツに付加することを特徴とする。
【発明の効果】
【０００９】
本発明によれば、ユーザの情報端末におけるコンテンツ配信システムを介してより有効な情報交換を行う技術が得られる。
【発明を実施するための最良の形態】
【００１０】
以下、本発明の実施形態を説明する。
【実施例１】
【００１１】
本発明による実施形態１を図１乃至図６を参照して説明する。
本コンテンツ配信システムの実施形態の説明には、携帯ポータブル機器での実施例を記す。機器の基本構成としては、現在の携帯電話やマイコンピュータ機器装置などの構成にほぼ合致している。図１は、この発明の一実施形態を示すブロック構成図を示している。
【００１２】
簡単な基本構成の説明としては、CPUを中心とした処理部１、処理の為のメモリに使用するRAM２、ROM３などのメモリ部、そして撮影した静止画や動画とその撮影時間情報を記憶する為の、内部HDDなどの図示せぬ記憶部、そしてCCDカメラで撮影などに使用したり、SDメモリやメモリスティックなどのデータ転送に使用する為のI/O部４、それにInternetに接続できる通信部５なるものから構成される。
【００１３】
使用方法として、一例をあげて説明をする。あるユーザが携帯ポータブル機器を所有しているとする。ユーザは、日頃、Ｗｅｂサイトや自身のホームネットワークに接続している状況にある。そして、そのユーザは、レストランの経営をおこなっており住居もレストランの２階にある。
【００１４】
昼前になると、その機器で撮影した静止画や動画を撮影し、その撮影したものを一つのコンテンツとして作成し、そのコンテンツをネット会社に契約しておくことで、Web公開する。ちょうどその時、食事のしたい人がネット検索でそのコンテンツを見て、あとはコンテンツに記載されている住所やGPS機能などを頼って、そのレストランに食事しにいくという流れである。ここでは、コンテンツは、３コマで構成されたとする。
【００１５】
さて、機器構成を簡単に説明する。機器は、ユーザが、GPS機能付きの携帯情報機器で取得した静止画情報（取得時間情報を含）あるいは動画情報（取得時間情報を含む）を入力する為の入力手段１（図１の４）と、ユーザが取得した時の位置情報を、前記携帯情報機器に付随した機能であるＧＰＳ機能により取得する入力手段２（図１の６）と、ユーザが情報等を閲覧したり作業をする為の表示手段（図１の７）と、ユーザが、前記入力手段１と入力手段２で入力した情報を素材にして、Ｗｅｂに配信する為のコンテンツを作成する為のコンテンツ作成手段（図１の８）と、前記作成手段において、作成した情報履歴などをコンテンツのメタ情報にする為のメタ情報作成手段（図１の９）と、前記作成されたコンテンツやメタ情報をＷｅｂ側に配信したり、Ｗｅｂサイトや、ユーザ固有のホームネットワークに接続する為の通信手段（図１の５）と、本コンテンツ配信システムの受信機は、上記コンテンツを受信する際は、
【００１６】
上記メタ情報や、受信機に付属しているＧＰＳ情報から取得する位置情報や、受信者の利用履歴情報から的確なＣＭ情報を前記コンテンツに付加することを備えて構成されている。
【００１７】
構成例の図１で入力手段１は、例えば現在の携帯電話についているようなCCDカメラであり、当然、音情報も記憶できる。静止画、動画共に、何時何分何秒と言うような撮影時間情報やサイズ情報も同時に入力できる。
【００１８】
入力手段２は、ＧＰＳ機能により、撮影している場所が特定できる。位置情報の決定は、ユーザがコンテンツを配信したタイミングでも良いし、撮影した最初の位置情報でも良い。予めＷｅｂサイトの方には、ユーザ登録をおこなっておけば「ユーザ」＝「Ａ地点」＝「Ａ店」＝「性別」＝「何歳」＝キーワードは、「食事、和風、レストラン」などのように位置が判れば、登録情報がメタ情報として付加されるようになる。
【００１９】
コンテンツ作成手段は、例えば以下図２のような作成作業が考えられる。図２中の「テンプレートを選択」（ステップＳ２）作業について説明すると、撮った静止画像や動画に対して、予め設定された項目から選択するもので、例えば以下のような画面が表示され、選択設定する動作をおこなう。これはコマの設定の場合である。
【００２０】
（１）一番最初のコマにする。
（２）二番目のコマにする。
（３）一番最後のコマにする。
また、Web側で適当なテンプレートDBを所有し、ユーザに選択させることで、位置情報や時間情報からそのユーザのコンテンツ作成嗜好情報を蓄積し、回数を重ねることで効率良く適当なテンプレートを使用して、コンテンツを作成することができる。
【００２１】
テンプレートは何種類か用意されており、場合によりユーザがテンプレート選択設定することが可能で、以下図３のような設定変更が可能である。標準では長方形の部分からなるテンプレートであるが、台形、平行四辺形の部分の組み合わせといったテンプレートを選択することができる。
【００２２】
さらに、作成するコンテンツの「キーワード」をキーボード入力、音声入力、文字認識入力などで目的にあった情報を入力する。動画情報の場合は、撮影時間情報も入力可能である。またユーザは、撮影中でもこのコマを代表コマにしたい場合は、指定ボタンを押下すると、そのコマが代表画面になる。押下しなかった場合は、既にあるようなシーンチェンジの切替りなどを自動的に代表画面とする。
【００２３】
表示手段７は、現在ある携帯機器の画面のように、Ｗｅｂサイト等を閲覧できたり、コンテンツを作成する作業画面にもなる。もちろん、カメラのファインダの役目も果たす。
【００２４】
通信手段５は、Ｗｅｂサイトや自身のホームネットワークにも接続可能な上、上記に説明したようにネット企業に予めユーザ登録しておくことで、ユーザ情報が前記ネット企業のサーバに保存され、更新されていくことになる。例えば上記に説明したようなユーザ情報の他に、以下図４のような履歴データが蓄積される。
【００２５】
上記のような履歴情報を使用して、メタ情報作成手段９は、以下のような付属情報を付加する。例えば、ユーザの嗜好情報として、
“〔AM 11:00〜12:00〕＆〔レストラン〕で、テンプレートのNo１１を使用する”
“〔PM 8:00〜10:00〕＆〔ブログ〕で、テンプレートのNo３を使用する”
を判定し、メタ情報として作成する。
また上記のような判定機能からユーザの嗜好情報を学習する機能もあり、使用していくと、自動的に同じパターンの動作を内部で処理することで、ユーザのコンテンツ配信の作業が削減できることになる。例えば、ここでは、「レストラン」＆「アマンド」と入力したとする。図５（ａ）は図２と同様な初期のフローであり、図５（ｂ）は使用回数が増え学習されたフローである。図５（ａ）のステップＳ１２からＳ１４に相当する処理が、図５（ｂ）では削減されている。
【００２６】
本コンテンツ配信システムの受信機は、上記コンテンツを受信する際は、上記メタ情報や、受信機に付属しているＧＰＳ情報から取得する位置情報や、受信者の利用履歴情報から的確なＣＭ情報を前記コンテンツに付加することが出来る。表示方法としては、例えば、インターネットに接続できる通信手段と、前記コマ構成内容や、ユーザが入力するコマンド情報からキーワードを検出し、前記通信手段でＷｅｂサイトなどからキーワード検索取得してきたＣＭ情報などを表示することが出来、インターネットに接続できる通信手段と、前記メタ情報や、ユーザが入力するコマンド情報からキーワードを検出し、前記通信手段でＷｅｂサイトなどからキーワード検索取得してきたＣＭ情報などを、該当するテンプレートの近似に表示することもできる。当然、コンテンツの下方か上方に設置表示することも可能である。
【００２７】
更に、ＣＭ情報などを、コンテンツの壁紙に設定し、ユーザは、テンプレートを最初からアクションを起こして閲覧する（例えば、テンプレート上に指を置くなど）ことで、そのテンプレートは順に削除されていき、最後には、前記CMの壁紙だけが残っているようにすることも可能である。
【００２８】
CMの内容決定は、コンテンツ作成者（コンテンツ配信者）が決定しても良いし、受信者の嗜好情報からWebサイトで検索して、場所、相手の情報、閲覧時間情報から、受信者に有益なCMを表示させても良い。
【００２９】
受信者の嗜好情報は、受信者が当機器でWebを使用している情報の他に、ホームネットワークの使用履歴からユーザの嗜好を判定し、その判定結果から、適当なCMを表示しても良い。
【００３０】
例えば、ホームネットワークのリンク項目として、TV、HDDレコーダ、PC、IP電話、デジカメ（Ｒ）、携帯電話、ムービーカメラ、DVDプレーヤなどがある。
【００３１】
当然、閲覧者が表示されているCMの詳細を見ようと思ったら、そのCM表示エリアとURLはリンクされているので、Webサイトから閲覧することができる。
また、コンテンツ配信者にも有益になるようなサービスが構築されており、コンテンツを閲覧したら、自動的に、Web側で、アクセス数としてカウントされ、Webサイト側から、サービス（例えば容量を大きくするなど）や、受信者側で複数の閲覧コンテンツがあった場合は、アクセスの多いものを閲覧しやすくする（例えば上位に表示するなど）ことなどをおこなう。以下図６が受信した時の表示例である。
【００３２】
人気のあるレストランは、見る人が多くなる。Webサイト側からのサービスとしては、低料金やスピードといった要素も可能である。
本実施例のコンテンツ配信システムは、ユーザが、GPS機能付きの携帯情報機器で取得した静止画情報（取得時間情報を含）あるいは動画情報（取得時間情報を含む）を入力する為の入力手段１と、ユーザが取得した時の位置情報を、前記携帯情報機器に付随した機能であるＧＰＳ機能により取得する入力手段２と、ユーザが情報等を閲覧したり作業をする為の表示手段と、ユーザが、前記入力手段１と入力手段２で入力した情報を素材にして、Ｗｅｂに配信する為のコンテンツを作成する為のコンテンツ作成手段と、前記作成手段において、作成した情報履歴などをコンテンツのメタ情報にする為のメタ情報作成手段と、前記作成されたコンテンツやメタ情報をＷｅｂ側に配信したり、Ｗｅｂサイトや、ユーザ固有のホームネットワークに接続する為の通信手段と、本コンテンツ配信システムの受信機は、上記コンテンツを受信する際は、上記メタ情報や、受信機に付属しているＧＰＳ情報から取得する位置情報や、受信者の利用履歴情報から的確なＣＭ情報を前記コンテンツに付加することを備えて構成することで、ユーザの情報端末におけるコンテンツ配信システムを介して有効な情報交換を行う技術である。
【００３３】
本実施例は、ユーザが、GPS機能付きの携帯情報機器で取得した静止画情報あるいは動画情報を、有限で数種類のテンプレートとコマ（動画を含む）を配置し、一つのコンテンツとして構成する場合に、ユーザが撮像した前記静止画情報や動画情報と、その時に撮影した時間情報と、前記GPSから取得した位置情報を用いることで、ユーザの作成意向に沿ったコンテンツを簡易に作成することができ、さらに、Ｗｅｂ側は受信者側の嗜好に沿ったＣＭを付加することが可能で、受信者側が効率良く、タイムリーにＣＭ付きの前記コンテンツを閲覧できるコンテンツ配信システム及び方法を提供する。
【００３４】
本実施例は、概要としてGPS機能付きの携帯情報機器で取得した静止画情報あるいは動画情報をユーザがコンピュータ、デジタルＡＶ装置、及び通信装置などにおいて有限で数種類のテンプレートとコマ（動画を含む）を配置してコンテンツを生成して配信するコンテンツ配信システム及びその手法であって、ユーザの作成意向に沿ったコンテンツを簡易に作成することができ、更に、Web側は受信者側の嗜好に沿ったCMを付加することが可能で、受信者側が効率良く、タイムリーにCM付きのコンテンツを閲覧でき、以下のような利点がある。
【００３５】
＜ポイント＞
１、            誰（送信者）でも簡単に静止画や動画を撮って配信アクションをすれば、誰（受信者）が、効率良く、またタイムリーに前記コンテンツがＣＭ付きで閲覧することが出来る。
【００３６】
２、            送信者側（コンテンツ作成者）は、配信アクションをすれば自動的に、コンテンツ作成時間情報と、位置情報をＷｅｂ（例えば、Googleなど）が取得する。
【００３７】
３、            送信者側は、コンテンツを作成し、あたかもそれをフォルダに入れるかのようなアクションをおこすことで、実際は、Webの個人エリアに保存され、個人の情報として、位置情報や時間情報及び作成されたコンテンツを保存する。自動通信する。
【００３８】
４、            受信者は、送信者のエリアの近くにいれば、自動的にコンテンツを受信することができる。タイムリーにコンテンツを閲覧することが出来る。
【００３９】
５、            受信者は、付加されたCMを指示すると、CMの詳細情報を閲覧することが出来る。
６、            上記５に付随して、Web側は広告収入が得られる。
７、            コンテンツを閲覧したら、自動的に、Web側で、アクセス数としてカウントされ、Webサイト側から、サービス（例えば容量を大きくするなど）や、受信者側で複数の閲覧コンテンツがあった場合は、アクセスの多いものを閲覧しやすくする（例えば上位に表示するなど）ことなどをおこなう。
【００４０】
８、            位置情報が顕著に判定できるユーザ向け（レストランなどの店）に利用できる。
９、            Web側で適当なテンプレートDBを所有し、ユーザに選択させることで、位置情報や時間情報からそのユーザのコンテンツ作成嗜好情報を蓄積し、回数を重ねることにより効率良く適当なテンプレートを使用して、コンテンツを作成することができる。
【００４１】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４２】
【図１】この発明の一実施形態を示すブロック構成図。
【図２】同実施形態のコンテンツ作成手順を示すフロー図。
【図３】同実施形態のテンプレート選択イメージを説明するために示す図。
【図４】同実施形態の蓄積された履歴データの例を示す表図。
【図５】同実施形態の学習化による動作の短縮を示すフロー図。
【図６】同実施形態の機器イメージを示す外観図。
【符号の説明】
【００４３】
１…処理部、２…RAM、３…ROM、４…I/O部、５…通信部、６…入力手段２、７…表示手段、８…コンテンツ作成手段、９…メタ情報作成手段。
【図１】
2009146066.tif 000003
【図２】
2009146066.tif 000004
【図３】
2009146066.tif 000005
【図４】
2009146066.tif 000006
【図５】
2009146066.tif 000007
【図６】
2009146066.tif 000008